(57)【要約】  【課題】    隨意にあらゆる靴の内部に設置でき、制御を通してそのもの自体に加熱機能を発生させ、良好な防寒効果を得ることができ、更には使用者の生活品質を向上し、疾病を予防することができる加温靴パッドの提供。 【解決手段】    主に電熱パッド、制御回路及び電池から構成され、該電熱パッドは少なくとも二層の耐熱織布を備え、該二層の耐熱織布の間に電熱機構を挟むように設置し、該電熱機構はさらに導線により延伸されて制御回路及び電池に接続され、電気回路を形成する。  【選択図】    図１
0003111194.tif 000002
【実用新案登録請求の範囲】
【請求項１】
主に、電熱パッド、制御回路及び電池から構成され、そのうち、該電熱パッドは少なくとも二層の耐熱織布を備え、該二層の耐熱織布の間に電熱機構を挟んで設置し、該電熱機構は導線で延伸され制御回路及び電池に接続されて電気回路を形成することを特徴とする加温靴パッド。
【請求項２】
前記電熱機構が靴パッドの面積範囲内に均一に張り巡らされ分布された請求項１に記載の加温靴パッド。
【請求項３】
前記制御回路と電池を共に殼体内に設置し、該殼体の背面に固定機構を設け、該固定機構により該殼体を靴上または使用者の足首や衣類上に固定する請求項１に記載の加温靴パッド。
【請求項４】
前記制御回路及び電池を設置した殼体を、足の土踏まずの凹み部の形状に対応させ、且つ、該電熱パッドの土踏まずの凹み部に対応する位置内に固定し一体を成した請求項１に記載の加温靴パッド。
【考案の詳細な説明】
【技術分野】
【０００１】
本考案は、加温靴パッドに関し、詳細には、隨意に靴の内部に設置でき、且つ、使用者が制御することで加熱作用を発し、効果的に防寒効果を得ることができる、加熱靴パッドに関する。
【背景技術】
【０００２】
従来の靴は、寒害の発生を防止するために、一般的には保温材料（例：毛や棉材料等）で保温と防寒効果を上げている。しかしながら、上述のような方法は、必須条件として使用者自らの足部の体温が一定の温度を備えていなければ一定の作用を得ることができず、使用者本人の手足が冷えている場合は、どんなに厚い雪靴や防寒靴類を履いても、使用者の足部に防寒効果と暖かさを与えることはできず、大きな不快感を与え、生活の品質にも影響を与える。また、特に寒さに弱い人にとっては、生理的または心理的な疾病を生むことがあり、身体の健康を害することになるため、この問題は更なる研究開発や工夫が必要とされている。
【考案の開示】
【考案が解決しようとする課題】
【０００３】
本考案は、従来の防寒靴の欠点に鑑みて、考案者の工業生産における長年の経験に基づき研究を重ね開発した、斬新な加温靴パッドを提供するものである。
【０００４】
本考案の主な目的は、隨意にあらゆる靴の内部に設置でき、制御を通してそのもの自体に加熱機能を発生させ、良好な防寒効果を得ることができ、更には使用者の生活品質を向上し、疾病を予防することができる、加温靴パッドを提供することにある。
【課題を解決するための手段】
【０００５】
上述の目的を達するため、本考案は主に電熱パッド、制御回路及び電池から構成され、該電熱パッドは少なくとも二層の耐熱織布を備え、該二層の耐熱織布の間に電熱機構を挟むように設置し、該電熱機構はさらに導線により延伸されて制御回路及び電池に接続され、電気回路を形成する。
【０００６】
上述の構造により、該加温靴パッドを靴の内部に入れて使用する際、同時に制御回路及び電池を靴の適切な位置に固定するか、または使用者の足首（踝）上に固定し、制御回路上のスイッチを入れると、その内部の電熱パッドが加熱され、防寒及び使用者の生活品質向上という目的を達することができる。
【考案を実施するための最良の形態】
【０００７】
本考案の加温靴パッドの構造、特徴及び効果について、より認識と理解を深めるため、以下、具体的な実施例と図面に基づき、詳細に説明する。
【実施例１】
【０００８】
まず、図１及び図２に示すように、本考案の加温靴パッドは主に、電熱パッド１０、制御回路２０及び電池３０から成る。
【０００９】
そのうち、該電熱パッド１０は少なくとも二層の耐熱織布１１、１２を備え、且つ、該二層の耐熱織布１１と１２の間に電熱機構１３を挟んで設置し、該電熱機構１３はさらに導線１４で延伸され制御回路２０及び電池３０に接続されて電気回路を形成する。
【００１０】
上述の電熱機構１３は、図に示すように、電熱線を均一に靴パッドの面積範囲内に張り巡らせる方式か、または、該電熱機構１３は管状または塊状の電熱器とし、複数個を平均的に分布させて設置する方式で実施してもよい。電池３０は一般的なカーボン電池やリチウム電池またはその他電池とする。
【００１１】
上述の構造のうち、該制御回路２０は簡単なスイッチ２１回路とすることができ、電流の導通の入・切を制御する。または、該制御回路２０のスイッチ２１上に温度自動制御回路２２（図３に示す）を直列接続し、該加熱靴パッドの温度の高低を感知して加温を自動制御するか、或いは使用者がその必要とする加熱温度に調整することを可能にし、該物品の実用性を向上することができる。また、該制御回路２０と電池３０の実施においては、一緒に殼体４０内部に設置し、且つ、該殼体４０の背面に固定機構４１を設け、該固定機構４１は図１、図２に示すようなベルトとしてもよく、該ベルトで殼体４０を使用者の足首（または踝、靴の筒部）上に固定する。または、該固定機構４１は面ファスナーまたはフック等の簡易な構造で前述のベルトに代えることもでき、該面ファスナーまたはフックで殼体４０を靴上または使用者の衣類上に固定しても、前述同様の実施目的を達することができる。
【００１２】
上述の構造により、該電熱パッド１０を靴の内部に設置して使用する時、同時に制御回路２０及び電池３０を設置した殼体４０を靴の適切な位置または使用者の足首や衣類上に固定し、制御回路２０上のスイッチ２１を入れると、該回路の電流が導通され、該電熱パッド１０に加熱効果が形成され、足底の防寒効果を得ることができ、使用者はより快適な生活品質を得ることができる。
【実施例２】
【００１３】
図４の実施例に示すように、本考案は前記制御回路２０及び電池３０を設置する殼体４０を足の土踏まずの凹み部の形状に合わせて設計し、直接電熱パッド１０の土踏まずの凹み部の位置に対応させて固定し、一体として形成してもよく、携帯使用をより便利にすることができる。
【００１４】
上述のように、本考案の構造は、出願前に刊行物や公開使用は見受けられず、且つ、確実に足底の防寒効果と使用上の利点を得ることができ、本考案は実用新案登録出願の要件を満たしているため、法に基づきここに実用新案登録を出願するものである。
【図面の簡単な説明】
【００１５】
【図１】本考案の立体分解図である。
【図２】本考案の使用状態を示す側面図である。
【図３】本考案の回路図である。
【図４】本考案の別の実施例を示す立体図である。
【符号の説明】
【００１６】
１０        電熱パッド
１１、１２  耐熱織布  
１３        電熱機構
１４        導線
２０        制御回路
２１        スイッチ
２２        温度自動制御回路
３０        電池
４０        殼体
４１        固定機構
【図１】
0003111194.tif 000003
【図２】
0003111194.tif 000004
【図３】
0003111194.tif 000005
【図４】
0003111194.tif 000006